(57)【要約】      （修正有）【課題】細分化した状態で農地を把握することで、単位区画毎の圃場に対する短期的な作業履歴の管理を正確に行うことができる農地管理システムを提供する。【解決手段】農地管理システムは、農家が管理する農地に関する少なくとも作付作物名および作付面積を含む農地情報を、単位区画毎の圃場区画番号と対応づけて記憶する記憶部３２と、新たに運用される農地に対応する新規圃場区画番号をユーザから受付ける受付部３１と、受付部３１に新たな圃場区画番号がユーザから入力された際に、当該圃場区画番号が示す前記圃場区画に関する新規農地情報の入力を、ユーザに要求する農地情報要求部３４Ａと、新規圃場区画番号および新規農地情報を関連づけた状態で、記憶部３２に記憶させる処理部３４と、を備える。【選択図】図２
2020155075.tif 000002
【特許請求の範囲】
【請求項１】
農家が管理する農地に関する少なくとも作付作物名および作付面積を含む農地情報を、単位区画毎の圃場区画番号と対応づけて記憶する記憶部と、
新たに運用される農地に対応する新規圃場区画番号をユーザから受付ける受付部と、
前記受付部に新たな圃場区画番号がユーザから入力された際に、当該圃場区画番号が示す前記圃場区画に関する新規農地情報の入力を、ユーザに要求する農地情報要求部と、
前記新規圃場区画番号および前記新規農地情報を関連づけた状態で、前記記憶部に記憶させる農地情報登録部と、を備えている農地管理システム。
【請求項２】
前記圃場区画番号は、前記ユーザが任意に選択した文字列であることを特徴とする請求項１に記載の農地管理システム。
【請求項３】
前記農地情報要求部は、農家が既存の農地の分筆を行った際に、過去の農地情報を基礎としながら、新規農地情報の入力を、前記ユーザに要求することを特徴とする請求項１又は２に記載の農地管理システム。
【請求項４】
前記農地情報要求部は、前記過去の農地情報をユーザに出力したうえで、その更新を要求することにより、新規農地情報の入力を、前記ユーザに要求することを特徴とする請求項３に記載の農地管理システム。
【請求項５】
前記受付部は、ユーザから入力された、ユーザが行った作業の内容を示す作業内容情報、および前記作業が行われた領域を示す作業領域情報を、作業履歴データとして受付け、
前記記憶部は、前記農地情報として、地理情報システムにより特定された座標データに基づく単位区画毎の圃場領域データと、前記圃場区画番号が示す農地に対して行われた前記作業履歴データと、を記憶し、
前記作業領域情報を、前記圃場領域データと重ね合わせた状態で出力する作業進捗出力部を備えていることを特徴とする請求項１から４のいずれか１項に記載の農地管理システム。
【請求項６】
前記圃場区画番号と対応づけて前記記憶部に記憶された作付作物名および作付面積を用いて、当該圃場区画番号が示す前記圃場区画に作付するべき作物名を提案する作付作物提案部を備えていることを特徴とする請求項１から５のいずれか１項に記載の農地管理システム。
【請求項７】
前記記憶部は、前記作付作物名における育苗、耕起、定植、防除、収穫等の各農作業の時期を示す農作業時期情報を記憶し、
前記作付作物提案部は、前記圃場区画番号と対応づけて前記記憶部に記憶された作付作物名および作付面積、並びに前記農作業時期情報に基づいて、当該圃場区画番号が示す前記圃場区画に作付するべき作物名を提案することを特徴とする請求項６に記載の農地管理システム。
【請求項８】
前記受付部は、前記ユーザから入力された農家の可動労働時間を受付け、
前記作付作物提案部は、前記圃場区画番号と対応づけて前記記憶部に記憶された作付作物名および作付面積、並びに前記可動労働時間に基づいて、当該圃場区画番号が示す前記圃場区画に作付するべき作物名を提案することを特徴とする請求項６又は７に記載の農地管理システム。
【請求項９】
コンピュータが、
農家が管理する農地に関する少なくとも作付作物名および作付面積を含む農地情報を、単位区画毎の圃場区画番号と対応づけて記憶する記憶ステップと、
新たに運用される農地に対応する新規圃場区画番号をユーザから受付ける受付ステップと、
前記受付ステップで新たな圃場区画番号がユーザから入力された際に、当該圃場区画番号が示す前記圃場区画に関する新規農地情報の入力を、ユーザに要求する農地情報要求ステップと、
前記新規圃場区画番号および前記新規農地情報を関連づけた状態で、記憶部に記憶させる農地情報登録ステップと、を実行する農地管理方法。
【請求項１０】
コンピュータに、
農家が管理する農地に関する少なくとも作付作物名および作付面積を含む農地情報を、単位区画毎の圃場区画番号と対応づけて記憶する記憶機能と、
新たに運用される農地に対応する新規圃場区画番号をユーザから受付ける受付機能と、
前記受付機能に新たな圃場区画番号がユーザから入力された際に、当該圃場区画番号が示す前記圃場区画に関する新規農地情報の入力を、ユーザに要求する農地情報要求機能と、
前記新規圃場区画番号および前記新規農地情報を関連づけた状態で、記憶部に記憶させる農地情報登録機能と、を実現させる農地管理プログラム。
【発明の詳細な説明】
【技術分野】
【０００１】
本発明は、農地管理システム、農地管理方法、および農地管理プログラムに関する。
【背景技術】
【０００２】
従来、農地全体における農作業の効率化を目的として、作付作物等の農地情報を登録して使用する農業支援システムが知られている。
このような農業支援システムとして、下記特許文献１には、農業経営者が栽培する農作物情報、土壌データ、および農作物の栽培管理に関する栽培管理情報を用いて、農作物の栽培管理を行う指針を生成する構成が開示されている。
【先行技術文献】
【特許文献】
【０００３】
【特許文献１】特開２００４−３３４６０４号
【発明の概要】
【発明が解決しようとする課題】
【０００４】
しかしながら、このような農地管理システムでは一般的に、作付作物毎の農地全体に対して割り振られた農地番号が管理されているため、年間を通し中期的な作業履歴の管理には活用できるものの、例えば日々の作業履歴を管理するような、短期的な管理を正確に行うことができないという問題があった。
【０００５】
そこで本発明は、短期的な管理を正確に行うことができる農地管理システムを提供することを目的とする。
【課題を解決するための手段】
【０００６】
上記課題を解決するために、本発明の農地管理システムは、農家が管理する農地に関する少なくとも作付作物名および作付面積を含む農地情報を、単位区画毎の圃場区画番号と対応づけて記憶する記憶部と、新たに運用される農地に対応する新規圃場区画番号をユーザから受付ける受付部と、受付部に新たな圃場区画番号がユーザから入力された際に、当該圃場区画番号が示す圃場区画に関する新規農地情報の入力を、ユーザに要求する農地情報要求部と、新規圃場区画番号および新規農地情報を関連づけた状態で、記憶部に記憶させる農地情報登録部と、を備えている。
【０００７】
また、圃場区画番号は、ユーザが任意に選択した文字列であってもよい。
【０００８】
また、農地情報要求部は、農家が既存の農地の分筆を行った際に、過去の農地情報を基礎としながら、新規農地情報の入力を、ユーザに要求してもよい。
【０００９】
また、農地情報要求部は、過去の農地情報をユーザに出力したうえで、その更新を要求することにより、新規農地情報の入力を、ユーザに要求してもよい。
【００１０】
また、受付部は、ユーザから入力された、ユーザが行った作業の内容を示す作業内容情報、および作業が行われた領域を示す作業領域情報を、作業履歴データとして受付け、記憶部は、農地情報として、地理情報システムにより特定された座標データに基づく単位区画毎の圃場領域データと、圃場区画番号が示す農地に対して行われた作業履歴データと、を記憶し、作業領域情報を、圃場領域データと重ね合わせた状態で出力する作業進捗出力部を備えてもよい。
【００１１】
また、圃場区画番号と対応づけて記憶部に記憶された作付作物名および作付面積を用いて、当該圃場区画番号が示す圃場区画に作付するべき作物名を提案する作付作物提案部を備えてもよい。
【００１２】
また、記憶部は、作付作物名における育苗、耕起、定植、防除、収穫等の各農作業の時期を示す農作業時期情報を記憶し、作付作物提案部は、圃場区画番号と対応づけて記憶部に記憶された作付作物名および作付面積、並びに農作業時期情報に基づいて、当該圃場区画番号が示す圃場区画に作付するべき作物名を提案してもよい。
【００１３】
また、受付部は、ユーザから入力された農家の可動労働時間を受付け、作付作物提案部は、圃場区画番号と対応づけて記憶部に記憶された作付作物名および作付面積、並びに可動労働時間に基づいて、当該圃場区画番号が示す圃場区画に作付するべき作物名を提案してもよい。
【００１４】
本発明の農地管理方法は、コンピュータが、農家が管理する農地に関する少なくとも作付作物名および作付面積を含む農地情報を、単位区画毎の圃場区画番号と対応づけて記憶する記憶ステップと、新たに運用される農地に対応する新規圃場区画番号をユーザから受付ける受付ステップと、受付ステップで新たな圃場区画番号がユーザから入力された際に、当該圃場区画番号が示す圃場区画に関する新規農地情報の入力を、ユーザに要求する農地情報要求ステップと、新規圃場区画番号および新規農地情報を関連づけた状態で、記憶部に記憶させる農地情報登録ステップと、を実行する。
【００１５】
本発明の農地管理プログラムは、コンピュータに、農家が管理する農地に関する少なくとも作付作物名および作付面積を含む農地情報を、単位区画毎の圃場区画番号と対応づけて記憶する記憶機能と、新たに運用される農地に対応する新規圃場区画番号をユーザから受付ける受付機能と、受付機能に新たな圃場区画番号がユーザから入力された際に、当該圃場区画番号が示す圃場区画に関する新規農地情報の入力を、ユーザに要求する農地情報要求機能と、新規圃場区画番号および新規農地情報を関連づけた状態で、記憶部に記憶させる農地情報登録機能と、を実現させる。
【発明の効果】
【００１６】
本発明の農地管理システムでは、単位区画毎の圃場区画番号と対応づけて農地情報を管理することができる。このため、これまでよりも細分化した状態で農地を把握することが可能になり、細分化された領域に対する管理、例えば日々の作業履歴等を正確に行うことが可能になる。これにより、圃場の短期的な管理を正確に行うことができる。
【図面の簡単な説明】
【００１７】
【図１】本発明の農地管理システムの概略を説明する図である。
【図２】図１に示す農地管理システムにおけるサーバ装置の構成を示すブロック図である。
【図３】図２に示す農地情報の具体例を示す図である。
【図４】図２に示す農作業時期情報のうち、水稲と秋まき小麦に関する内容を示す図である。
【図５】図２に示すデータ出力部が、表示装置に出力する表示画面を示す図である。
【図６ａ】図２に示す作付作物提案部からの提案による累積労働時間の変化を説明する図であり、提案前の累積労働時間を示す図である。
【図６ｂ】図２に示す作付作物提案部からの提案による累積労働時間の変化を説明する図であり、提案後の累積労働時間を示す図である。
【図７】農地情報を登録する際の処理フローの全体概要を示す図である。
【図８】農地情報登録部における処理フローの詳細を示す図である。
【図９】作業進捗を出力する際の処理フローを示す図である。
【図１０】作付作物名を提案する際の処理フローを示す図である。
【図１１】図２に示す農作業時期情報のうち、大豆と小豆に関する内容を示す図である。
【図１２】図２に示す農作業時期情報のうち、てんさい、なたね、および春まき小麦に関する内容を示す図である。
【発明を実施するための形態】
【００１８】
（システム構成）
本発明の一実施形態に係る農地管理システム１について、図面を参照して説明する。
図１に示すように、本実施形態に係る農地管理システム１は、農家が管理する農地に関する情報を、他の様々な情報とともに管理することにより、農作物の栽培の効率化に資するシステムである。図１は、本発明の農地管理システム１の概略を説明する図である。
【００１９】
図１に示すように、農地管理システム１は、ユーザＰ１が使用する操作端末１０とサーバ装置３０とをネットワーク２０で接続することで実現されている。ここで、ユーザＰ１とは農家の一員であり、オーナーであってもよいし、従業員であってもよい。
図示の例では、サーバ装置３０は、１つの操作端末１０と接続されているが、このような態様に限られず、複数の端末と接続されてもよい。
操作端末１０は、表示装置（モニタ装置）と入力装置（キーボード等）とを備えたパソコンである。操作端末１０は、固定端末に限られず、スマートフォンやタブレットのような携帯端末であってもよい。
【００２０】
ネットワーク２０は、農地管理システム１と、操作端末１０との間を相互に接続させるためのネットワークであり、例えば、無線ネットワークや有線ネットワークである。
具体的には、ネットワーク２０は、ワイヤレスＬＡＮ（ｗｉｒｅｌｅｓｓ  ＬＡＮ：ＷＬＡＮ）や広域ネットワーク（ｗｉｄｅ  ａｒｅａ  ｎｅｔｗｏｒｋ：ＷＡＮ）、ＩＳＤＮｓ（ｉｎｔｅｇｒａｔｅｄ  ｓｅｒｖｉｃｅ  ｄｉｇｉｔａｌ  ｎｅｔｗｏｒｋｓ）、無線ＬＡＮｓ、ＬＴＥ（ｌｏｎｇ  ｔｅｒｍ  ｅｖｏｌｕｔｉｏｎ）、ＬＴＥ−Ａｄｖａｎｃｅｄ、第４世代（４Ｇ）、第５世代（５Ｇ）、ＣＤＭＡ（ｃｏｄｅ  ｄｉｖｉｓｉｏｎ  ｍｕｌｔｉｐｌｅ  ａｃｃｅｓｓ）、ＷＣＤＭＡ（登録商標）、イーサネット（登録商標）などである。
【００２１】
また、ネットワーク２０は、これらの例に限られず、例えば、公衆交換電話網（Ｐｕｂｌｉｃ  Ｓｗｉｔｃｈｅｄ  Ｔｅｌｅｐｈｏｎｅ  Ｎｅｔｗｏｒｋ：ＰＳＴＮ）やブルートゥース（Ｂｌｕｅｔｏｏｔｈ（登録商標））、ブルートゥースローエナジー（Ｂｌｕｅｔｏｏｔｈ  Ｌｏｗ  Ｅｎｅｒｇｙ）、光回線、ＡＤＳＬ（Ａｓｙｍｍｅｔｒｉｃ  Ｄｉｇｉｔａｌ  Ｓｕｂｓｃｒｉｂｅｒ  Ｌｉｎｅ）回線、衛星通信網などであってもよく、どのようなネットワークであってもよい。
【００２２】
また、ネットワーク２０は、例えば、ＮＢ−ＩｏＴ（Ｎａｒｒｏｗ  Ｂａｎｄ  ＩｏＴ）や、ｅＭＴＣ（ｅｎｈａｎｃｅｄ  Ｍａｃｈｉｎｅ  Ｔｙｐｅ  Ｃｏｍｍｕｎｉｃａｔｉｏｎ）であってもよい。なお、ＮＢ−ＩｏＴやｅＭＴＣは、ＩｏＴ向けの無線通信方式であり、低コスト、低消費電力で長距離通信が可能なネットワークである。
【００２３】
また、ネットワーク２０は、これらの組み合わせであってもよい。また、ネットワーク２０は、これらの例を組み合わせた複数の異なるネットワークを含むものであってもよい。
例えば、ネットワーク２０は、ＬＴＥによる無線ネットワークと、閉域網であるイントラネットなどの有線ネットワークとを含むものであってもよい。
【００２４】
次に、図２を用いて農地管理システム１におけるサーバ装置３０の構成について説明する。図２は、農地管理システム１におけるサーバ装置３０の構成を示すブロック図である。
図２に示すように、農地管理システム１のサーバ装置３０は、受付部３１と、記憶部３２と、プログラム記憶部３３と、処理部３４と、データ出力部３５と、を備えている。
【００２５】
受付部３１は、操作端末１０にユーザＰ１が入力した情報を受付ける受付機能を実行する。受付部３１は、例えば、農家が管理する圃場に関する農地情報を受付ける。農地情報とは、少なくとも作付作物名および作付面積を含む情報であり、圃場区画毎に定められる。
なお、この説明において、「農地」として使用される土地領域のうち、例えば同じ作物を作付している領域等のように、区画整備された所定の領域を「圃場」と呼ぶ。また、圃場全体を構成する単位区画毎の領域を「圃場区画」と呼ぶ。圃場および圃場区画の広さは、農家が任意に検討することができる。
圃場区画は、圃場区画番号により特定される。圃場区画番号は、受付部３１に入力され、当該番号が示す圃場区画における農地情報と関連付けた状態で記憶部３２に記憶される。
【００２６】
受付部３１はまた、新たに運用される農地に対応する新規圃場区画番号をユーザＰ１から受付ける。
ユーザＰ１が農地を新たに運用するのは、圃場を新たに整備する場合と、既存の圃場を新たに区画して区切る場合と、がある。
【００２７】
圃場を新たに整備するのは、例えば増反により圃場を増やすためである。圃場を新たに区画するのは、減反により圃場区画の一部で作付を行わなくするために、圃場を分筆する場合や、転作や輪作により、作付作物の種類を変更する場合等が挙げられる。
これらの農地の新たな運用は、基本的には農作業シーズンが始まる前に判断される。
【００２８】
受付部３１はまた、ユーザＰ１から入力された作業内容情報および作業領域情報を、作業履歴データとして受付ける。作業履歴データは、後述する農地情報に登録されて記憶部３２に記憶される。
受付部３１はまた、ユーザＰ１から入力された農家の可動労働時間を受付ける。可動労働時間とは、その農家において作業をすることが可能な時間の総和であり、従業員数、保有する農業機械等により効率化される工数等を用いて勘案される数字である。すなわち、可動労働時間は、農家が保有する労働資源を表している。具体的には、農業機械毎に効率化の程度を示す係数を設定してもよい。
【００２９】
データ出力部３５は、操作端末１０の表示装置に、各種のデータを出力する。これにより、ユーザＰ１は、農地管理システム１に格納された各種のデータを確認することができる。データ出力部３５が出力する内容については後述する。
【００３０】
記憶部３２は、複数の農地情報、農作業時期情報、および可動労働時間を記憶する。ここで、農地情報の構造について図３を用いて詳述する。図３は、農地情報の具体例を示す図である。
図３に示すように、農地情報は、農地基本データと複数の作業履歴データとから構成されている。農地情報は、圃場の単位区画を構成する圃場区画毎に登録されている。
すなわち、一つの農家が所有する農地全体に対して、圃場区画の数量だけ、農地情報が登録されている。
【００３１】
農地基本データには、農地に関する基本的な属性が登録されている。登録項目としては、作業年度、農場名、圃場名、圃場区画番号、作付面積、畦幅、株間、作付作物名、品種、作型、栽培予定時期、栽培区分、育苗形式、圃場領域データ等である。
なお、これらはあくまで例示であり、登録項目は少なくとも圃場区画番号、作付作物名および作付面積を含めば、任意に変更することができる。
【００３２】
ここで、前述した各登録項目について補足をすると、農場名は、農場を識別するための名称であって、例えば農場を経営する法人名を指す。圃場名は、圃場を識別するための名称を指す。
そして、圃場区画番号は、圃場を構成する単位区画である圃場区画を指す名称であり、ユーザＰ１が任意に選択した文字列で管理される。
【００３３】
圃場区画番号は、例えば単なる文字や数字の羅列であってもよい。また、圃場区画番号は、農地を識別するために農家で慣習的に使用されている名称、例えば方角や農地の形状等の地理的特徴、周辺に存在する河川や人工建造物を含む名称等、様々な表現を採用することができる。
【００３４】
圃場領域データは、圃場の領域を地図情報として例えば平面的に表現したデータである。圃場領域データは、地理情報システムにより特定された座標データに基づくデータであり、例えばシェープファイル等で表現される。圃場領域データは、圃場区画毎に分割された状態で、対応する圃場区画番号と関連付けて登録されている。
【００３５】
作業履歴データは、ユーザが行った作業の内容と、作業が行われた領域をしめす内容を、を示す情報であり、作業毎に登録されている。作業履歴データは、作業内容情報と作業領域情報とから構成されている。
作業内容情報は、ユーザが行った作業の内容を示す情報であり、例えば、作業区分、作業名、作業予定日、作業実施日、作業開始日時、作業終了日時、休憩時間等が登録されている。なお、登録項目は任意に変更することができる。
【００３６】
作業領域情報は、作業が行われた領域を示す情報であり、例えば、測位システムを用いて特定された座標データに基づくデータであり、シェープファイル等で表現される。このような作業領域情報の取得としては、農業機械に内蔵された測位システムにより取得することができる。また、ユーザＰ１が有する圃場領域データを加工して作成してもよい。
【００３７】
次に、記憶部３２が記憶する農作業時期情報について図４、図１１および図１２を用いて説明する。
図４は、農作業時期情報のうち、水稲と秋まき小麦に関する内容を示す図である。図１１は、農作業時期情報のうち、大豆と小豆に関する内容を示す図である。図１２は、農作業時期情報のうち、てんさい、なたね、および春まき小麦に関する内容を示す図である。
【００３８】
図４、図１１および図１２に示すように、農作業時期情報には、作付作物名毎に、年間を通してどのような作業が必要になるかが示されている。具体的には、農作業時期情報は、作付作物名における例えば育苗、耕起、定植、防除、収穫等の各農作業の時期を示している。
なお、農作業時期情報は、図示の例よりも細分化された作業に関する内容であってもよいし、大別化された作業に関する内容であってもよい。
【００３９】
そして、作物により栽培の方法や成長の速度、収穫の時期等が異なるため、作業が必要な時期が異なっている。農作業時期情報を参照することにより、作付作物名に対して必要となる作業の時期がわかり、その時期の労働負荷を予測することができる。
なお、図４、図１１および図１２に示す作物はあくまで例示であり、農作業時期情報に登録する作物名はユーザＰ１が作付する可能性がある作物のなかで、任意に変更することができる。
【００４０】
プログラム記憶部３３は、農地管理システム１が動作するうえで必要とする各種の制御プログラムを記憶する機能を有する。記憶部３２およびプログラム記憶部３３は、例えば、ＨＤＤ、ＳＳＤ、フラッシュメモリなど各種の記憶媒体により実現される。なお、記憶部３２とプログラム記憶部３３は同じ記憶媒体により実現されてもよい。
【００４１】
プログラム記憶部３３に記憶された制御プログラムを実行することで、処理部３４が、農地管理システム１として実現すべき各機能を実現する。
ここでいう各機能とは、処理部３４が実現する機能として、記憶機能、受付機能、農地情報要求機能、農地情報登録機能、作業進捗出力、および作付作物提案機能を含んでいる。
【００４２】
処理部３４は、農地管理システム１の各部を制御するコンピュータであり、例えば、中央処理装置（ＣＰＵ）やマイクロプロセッサ、ＡＳＩＣ、ＦＰＧＡなどであってもよい。なお、処理部３４は、これらの例に限られず、農地管理システム１の各部を制御するコンピュータであれば、どのようなものであってもよい。
【００４３】
処理部３４は、農地情報要求部３４Ａ、農地情報登録部３４Ｂ、作業進捗出力部３４Ｃ、および作付作物提案部３４Ｄを備えている。
農地情報要求部３４Ａは、受付部３１に新たな圃場区画番号がユーザＰ１から入力された際に、当該圃場区画番号が示す圃場区画に関する新規農地情報の入力を、ユーザＰ１に要求する。
【００４４】
また、農地情報要求部３４Ａは、農家が既存の農地の分筆を行った際に、過去の農地情報を基礎としながら、新規農地情報の入力を、ユーザＰ１に要求する。ここで、過去の農地情報を基礎にするとは、一度、過去の農地情報をユーザＰ１に出力したうえで、その更新を要求することにより、新規農地情報の入力を、ユーザＰ１に要求するということである。
【００４５】
これに対して、例えば増反等によりこれまで農地として管理していなかった土地を圃場区画として運用していく場合には、ユーザＰ１が、農地情報としての各登録項目を新規で入力することとなる。これにより、新たな圃場区画に対して、圃場区画番号と各種の属性とが関連付けられた状態で、記憶部３２に記憶され、過去の記録に追加される。
【００４６】
農地情報登録部３４Ｂは、新規圃場区画番号および新規農地情報を関連づけた状態で、記憶部３２に記憶させる。これにより、新規圃場の圃場区画番号を特定することで、圃場区画における各種の属性を特定できるようになる。
【００４７】
作業進捗出力部３４Ｃは、作業領域情報を、圃場領域データと重ね合わせた状態で出力する。この機能について、図５を用いて説明する。図５は、データ出力部３５が、表示装置に出力する表示画面４０を示す図である。
図５に示すように、表示画面４０では、農地情報のうち、農地基本データ４１と、作業履歴データ４２と、を分けて表示している。
【００４８】
この表示画面４０では、圃場区画番号を入力して、当該圃場区画番号が示す圃場区画の農地情報を検索することができる。また、作付作物名を入力して、当該作付作物を作付している圃場区画番号を検索することもできる。なお、検索できる内容としてはこれらに限られず、記憶部３２に記憶された農地情報に登録された各種の項目を用いて、現在、および過去のさまざまな農地情報を確認できるようにしてもよい。
また、この表示画面４０では、作業履歴の入力をすることができる。また、表示画面４０の右側には、作業の進捗を表示するために、圃場領域データ４３に、作業領域情報４４を重ね合わせた状態で表示している。
【００４９】
ここで、ハッチング部で示される圃場領域データ４３は、圃場区画番号と対応する圃場区画の領域である。すなわち、圃場区画の上面視形状が表現されている。そして、作業履歴データとして、ユーザＰ１から入力された作業領域情報４４が、作業済みの領域としてクロスハッチング部で示されている。
これを見ることで、圃場区画全体に対して、どの程度の範囲で作業が完了したかを容易に確認することができる。
【００５０】
作付作物提案部３４Ｄは、圃場区画番号と対応づけて記憶部３２に記憶された作付作物名、作付面積、農作業時期情報、および可動労働時間に基づいて、当該圃場区画番号が示す圃場区画に作付するべき作物名を提案する。この作付作物提案部３４Ｄの機能について、図６を用いて詳述する。
図６は、作付作物提案部３４Ｄの提案による累積労働時間の変化を説明する図であり、図６（ａ）は提案前の累積労働時間を示す図、図６（ｂ）は、提案後の累積労働時間を示す図である。累積労働時間とは、農家が管理する農地全体での農作業において、必要となる全ての労働時間の総和を示す。
【００５１】
図６（ａ）に示すように、農家に求められる累積労働時間は、作付作物名や作付面積により算出することができる。図６（ａ）は、農家が管理する農地全体において、時期ごとに必要となる累積労働時間の推移を示している。また、農家が保有する労働資源である可動労働時間を、直線で表示している。
【００５２】
そして、作付作物提案部３４Ｄは、各圃場区画毎に、作付する作物を提案しながら、必要となる労働時間を再計算する。これにより、図６（ｂ）に灰色で示す領域のように、時期ごとに必要となる累積労働時間を変化させることができる。
すなわち、作付作物提案部３４Ｄは、例えば、累積労働時間が、可動労働時間を大幅に超えないように、作付作物名を各圃場区画に対して提案する。これにより、効率的な栽培計画を建てることができる。
【００５３】
具体的な提案内容としては、圃場区画番号に対して作付けするべき作物名を提案する。そして、それらを全ての圃場区画に対して順次行ったうえで、累積労働時間を算出する。また、作付作物提案部３４Ｄは、圃場区画に対して作付しないこと（休耕）を提案してもよい。
【００５４】
（処理フロー）
次に、農地管理システム１における農地情報を登録する際の処理フロ―を、図７および図８を用いて説明する。
図７は、農地情報を登録する際の処理フローの全体概要を示す図であり、図８は、農地情報登録部３４Ｂにおける処理フローの詳細を示す図である。
【００５５】
図７に示すように、まず、受付部３１がユーザＰ１から農地情報を受付ける（Ｓ５０１）。受付部３１は、受付けた農地情報を処理部３４に伝達する。そして、農地情報登録部３４Ｂが、農地情報を記憶部３２に記憶させる（Ｓ５０２）。
次に、受付部３１がユーザＰ１から新規圃場区画番号を受付ける（Ｓ５０３）。受付部３１は、新規圃場区画番号を処理部３４に伝達する。
次に、農地情報要求部３４Ａが、新規農地情報の入力をユーザＰ１に要求する（Ｓ５０４）。
【００５６】
この際、図８に示すように、農地情報要求部３４Ａは、農地情報のうち、ユーザが選択した圃場区画の過去の農地情報をユーザＰ１に出力する（Ｓ５０４１）。ユーザは新規の圃場区画と関連する圃場区画の農地情報を、過去の農地情報として選択する。ここで、例えば分筆の場合には、元の圃場区画の農地情報を引き継げるように、ユーザは元の圃場区画の農地情報を選択する。
そして、農地情報要求部３４Ａが、過去の農地情報の更新をユーザＰ１に要求する（Ｓ５０４２）。
【００５７】
次に、図７に示すように、ユーザＰ１が変更箇所の更新を行うことで、受付部３１がユーザＰ１から新規農地情報を受付ける（Ｓ５０５）。これにより、ユーザＰ１は変更点だけを入力すればよく、変更点のみの入力という必要最小限の作業で、新規農地情報の入力を済ませることができる。受付部３１は、新規農地情報を処理部３４に伝達する。
【００５８】
最後に、農地情報登録部３４Ｂが、新規農地情報を、新規圃場区画番号とともに記憶部３２に記憶させる（Ｓ５０６）。これにより、新たな圃場区画が、圃場区画番号と各種の属性（登録項目）とが関連付けられた状態で、農地情報として記憶部３２に記憶される。
【００５９】
次に、作業進捗出力部３４Ｃの処理フローについて、図９を用いて説明する。図９は、作業進捗を出力する際の処理フローを示す図である。
まず、図９に示すように、受付部３１が、圃場領域データをユーザＰ１から受付ける（Ｓ６０１）。受付部３１は、処理部３４に圃場領域データを伝達し、処理部３４が、記憶部３２が圃場領域データを記憶させる（Ｓ６０２）。
【００６０】
次に、受付部３１が作業履歴データをユーザＰ１から受付ける。この際、ユーザＰ１は、例えば農業機械の測位システムから得られた作業領域データをシェープファイルにして受付部３１に入力する。受付部３１は、作業領域データを処理部３４に伝達する。
そしてこの作業領域データを、処理部３４が記憶部３２に記憶させる（Ｓ６０４）。
【００６１】
そして最後に、作業進捗出力部３４Ｃが、作業領域情報を、圃場領域データと重ね合わせた状態でデータ出力部３５に伝達する。このデータを、データ出力部３５が操作端末１０に出力することにより、ユーザＰ１が作業進捗を可視化された状態で確認することができる。
【００６２】
次に、作付作物提案部３４Ｄの処理フローについて、図１０を用いて説明する。図１０は、作付作物名を提案する際の処理フローを示す図である。
まず、図１０に示すように、受付部３１が農作業時期情報をユーザＰ１から受付ける（Ｓ７０１）。この際、ユーザＰ１は自身が所属する農家が、今後栽培する可能性のある作物に関する農作業時期情報を受付部３１に入力すれば足りるが、その他の作物に関する農作業時期情報をまとめて入力してもよい。次に、受付部３１は、農作業時期情報を処理部３４に伝達する。そしてこの農作業時期情報を、処理部３４が記憶部３２に記憶させる（Ｓ７０２）。
【００６３】
次に、受付部３１が可動労働時間をユーザＰ１から受付ける（Ｓ７０３）。ユーザＰ１は自身の農家の人員や保有する農業機械から労働資源を割り出して、可動労働時間を入力する。次に、受付部３１が処理部３４に可動労働時間を伝達する。そして、処理部３４が、記憶部３２に可動労働時間を記憶させる（Ｓ７０４）。
【００６４】
そして、作付作物提案部３４Ｄが、農地情報、農作業情報、および可動労働時間から、作付するべき作付作物名を提案する（Ｓ７０５）。この際、作付作物提案部３４Ｄは、農地情報のうち、作付作物名および作付面積を用いる。この作付作物の提案は、農家が管理する全ての圃場区画に対して順次行う。これにより、農家の保有する労働資源に合わせて、効率的な栽培計画を建てることができる。
【００６５】
以上説明したように、本実施形態に係る農地管理システム１によれば、単位区画毎の圃場区画番号と対応づけて農地情報を管理することができる。このため、これまでよりも細分化した状態で農地を把握することが可能になり、細分化された領域に対する管理、例えば日々の作業履歴等を正確に行うことが可能になる。これにより、圃場の短期的な管理を正確に行うことができる。
【００６６】
また、例えば輪作に伴う分筆を繰り返し行って、圃場区画での作付作物名が年度毎に何度も変更されることがあっても、圃場区画番号と関連付けられた農地情報を確認することで、過去の作付作物名の履歴を容易かつ正確に確認することができる。
【００６７】
また、ユーザＰ１が新規圃場区画番号を入力した際に、農地情報要求部３４Ａが、圃場区画番号が示す農地に関する新規農地情報の入力を、ユーザＰ１に要求する。このため、農地情報として管理するべき項目を漏れなく管理することができる。
また、圃場区画番号が、ユーザＰ１が任意に選択した文字列であるので、ユーザＰ１が運用する圃場区画の名称に自由度を与えることで、利便性を向上することができる。
【００６８】
また、農地情報要求部３４Ａが、農家が既存の農地の分筆を行った際に、過去の農地情報を基礎として、過去の農地情報をユーザＰ１に出力したうえで、その更新を要求する。これにより、変更が無い部分についてはユーザＰ１の入力を省略することでき、作業の省力化と入力ミスの防止をすることができる。
【００６９】
また、作業進捗出力部３４Ｃが、作業領域情報を、圃場領域データと重ね合わせた状態で出力するので、作業の進捗状況をユーザＰ１が直感的かつ定量的に把握することができる。これにより、短期間での作業履歴の管理を正確に行うことができる。
【００７０】
また、作付作物提案部３４Ｄは、圃場区画番号と対応づけて記憶部３２に記憶された作付作物名、作付面積、農作業時期情報、および可動労働時間に基づいて、圃場区画番号が示す農地に作付するべき作物名を提案する。
このため、農家が年間の栽培計画を立てる際に、作物による作業内容の違い、時期による作業負荷の変動、および農家が保有する労働資源の多寡を考慮して、効率的な栽培を行ううえで最適な作付作物を選択し、農地を最適に配分することができる。
【００７１】
なお、上述の実施形態は、本発明の代表的な実施形態を単に例示したものにすぎない。したがって、本発明の趣旨を逸脱しない範囲において、上述の実施形態に対して種々の変形を行ってもよい。
【００７２】
例えば、上記実施形態で示した農地情報、および農作業時期情報等の各種データの構造はあくまで例示である。これらのデータ構造は任意に変更することができる。
また、上記実施形態で示した操作端末における表示装置での表示内容は、あくまで例示である。表示装置での表示内容は任意に変更することができる。
【００７３】
また、上記実施形態では、作付作物提案部３４Ｄが、作付作物名、作付面積、農作業時期情報、および可動労働時間に基づいて、農地に作付するべき作物名を提案する構成を示したが、このような態様に限られない。
作付作物提案部３４Ｄは、例えば、作付作物名、作付面積、および農作業時期情報に基づいて、作付するべき作物名を提案してもよいし、作付作物名、作付面積、および可動労働時間に基づいて、作付するべき作物名を提案してもよい。
【００７４】
また、作付作物提案部３４Ｄは、作付作物名、作付面積、およびその他の情報、例えば想定される取引価格の相場や、作付作物の生育条件等に基づいて、作付するべき作物名を提案してもよい。
また、作付作物提案部３４Ｄは、例えば輪作の場合には、過去の農地情報を用いて、輪作の順番を用いて、作付作物名を提案してもよい。
【００７５】
また、農地管理システム１に用いられる制御プログラムは、コンピュータに読み取り可能な記憶媒体に記憶された状態で提供されてもよい。記憶媒体は、「一時的でない有形の媒体」に、制御プログラムを記憶可能である。
記憶媒体は、ＨＤＤやＳＤＤなどの任意の適切な記憶媒体、またはこれらの２つ以上の適切な組合せを含むことができる。記憶媒体は、揮発性、不揮発性、または揮発性と不揮発性の組合せでよい。なお、記憶媒体はこれらの例に限られず、制御プログラムを記憶可能であれば、どのようなデバイスまたは媒体であってもよい。
【００７６】
また、農地管理システム１は、記憶媒体に記憶された制御プログラムを読み出し、読み出した制御プログラムを実行することによって、実施形態に示す各機能を実現する構成であってもよい。また、制御プログラムは、任意の伝送媒体（通信ネットワークや放送波等）を介して、農地管理システム１に提供されてもよい。農地管理システム１は、例えば、インターネット等を介してダウンロードした制御プログラムを実行することにより、前述した各種の機能を実現する構成であってもよい。
【００７７】
また、制御プログラムは、例えば、ＡｃｔｉｏｎＳｃｒｉｐｔ、ＪａｖａＳｃｒｉｐｔ(登録商標)などのスクリプト言語、Ｏｂｊｅｃｔｉｖｅ―Ｃ、Ｊａｖａ(登録商標)などのオブジェクト指向プログラミング言語、ＨＴＭＬ５などのマークアップ言語などを用いて実装してもよい。
【００７８】
また、上記実施形態では、農地管理システム１は、操作端末１０とサーバ装置３０とをネットワーク２０で接続することで実現されている構成を示したが、このような態様に限られない。操作端末１０に、サーバ装置３０の各構成が実装されてもよい。
また、農地管理システム１における処理の少なくとも一部は、１以上のコンピュータにより構成されるクラウドコンピューティングにより実現されていてもよい。また、農地管理システム１の各機能部は、上記実施形態に示した機能を実現する１または複数の回路によって実現されてもよく、１の回路により複数の機能部の機能が実現されることとしてもよい。
【００７９】
また、本開示の実施形態を諸図面や実施例に基づき説明してきたが、当業者であれば本開示に基づき種々の変形や修正を行うことが容易である。従って、これらの変形や修正は本開示の範囲に含まれることになる。例えば、各手段、各ステップ等に含まれる機能等は論理的に矛盾しないように再配置可能であり、複数の手段やステップ等を１つに組み合わせたり、或いは分割したりすることが可能である。また、各実施形態に示す構成を適宜組み合わせることとしてもよい。
【符号の説明】
【００８０】
１  農地管理システム
３０  サーバ装置
３１  受付部
３２  記憶部
３４  処理部
３４Ａ  農地情報要求部
３４Ｂ  農地情報登録部
３４Ｃ  作業進捗出力部
３４Ｄ  作付作物提案部
【図１】
2020155075.tif 000003
【図２】
2020155075.tif 000004
【図３】
2020155075.tif 000005
【図４】
2020155075.tif 000006
【図５】
2020155075.tif 000007
【図６ａ】
2020155075.tif 000008
【図６ｂ】
2020155075.tif 000009
【図７】
2020155075.tif 000010
【図８】
2020155075.tif 000011
【図９】
2020155075.tif 000012
【図１０】
2020155075.tif 000013
【図１１】
2020155075.tif 000014
【図１２】
2020155075.tif 000015